(57)【要約】【課題】  先端外周面にキャップ螺着用のねじ溝が形成された合成樹脂製の軸筒の尾端開口に尾冠を簡単、かつ確実に取り付けることが可能な取付構造を提供する。【解決手段】  キャップ螺着用のねじ溝が形成された合成樹脂製の軸筒の尾端開口内部に先端側の表面が傾斜した内向きの鍔部を形成する。鍔部は１ないし複数個の切欠き部有する。尾冠の先端に軸筒の鍔部内に挿入される筒部を形成し、この筒部に切欠き部を通過可能な突起部を形成する。尾冠の筒部を軸筒の鍔部に挿入し、軸筒と尾冠を相対的に回転させて突起部を鍔部の傾斜に沿って移動させ、尾冠の段部と突起部によって鍔部を挟圧して尾冠を軸筒に固定する。【選択図】  図４
2009279801.tif 000002
【特許請求の範囲】
【請求項１】
合成樹脂で成形された軸筒の先端外周面にキャップ螺着用のねじ溝が形成され、尾端開口内部に先端側の表面が傾斜した内向きの鍔部が形成され、該鍔部は１ないし複数個の切欠き部を有し、
尾冠の先端に該鍔部内に挿入される筒部が形成されるとともに、該筒部の外周面に該切欠き部を通過可能な突起部が形成され、
尾冠の筒部を軸筒の鍔部に挿入し、軸筒と尾冠を相対的に回転させて突起部を鍔部先端側の傾斜した面に沿って移動させることにより尾冠の段部と突起部によって軸線方向の巾が大きな部分の鍔部が挟圧されて尾冠が軸筒に固定されることを特徴とする筆記具の尾冠取付構造。
【発明の詳細な説明】
【技術分野】
【０００１】
本発明は合成樹脂で成形された筆記具軸筒の尾端開口に尾冠を取り付ける構造に関するものである。
【背景技術】
【０００２】
筆記具、ことに比較的高級な筆記具の尾端開口には高級感を醸し出すなどのため尾冠が取り付けられることが多い。
【特許文献１】特開２００７―１４４９９１号公報
【発明の開示】
【発明が解決しようとする課題】
【０００３】
軸筒に先口や尾冠を取り付ける場合、軸筒と先口や尾冠の双方にねじ溝を形成して螺着するのが一般的である。そして、軸筒を合成樹脂で成形する場合に、ねじ溝が比較的浅い場合は金型のねじ溝成形部分に潤滑油などを塗ってねじ部のアンダーカットを引き抜いて離型することができるが、ワークである軸筒などに付着した潤滑油を後工程で取り除く必要があり、手間がかかる。
【０００４】
一方、高級な万年筆の場合などは深いねじ溝が必要となり、ねじ部のアンダーカットを引き抜くことはできないので、ワークである軸筒などを回転させながら金型から徐々に引き出すようにして離型する。しかし、高級な万年筆の場合などはキャップは軸筒にねじ嵌合することが多く、したがって、軸筒に対して尾冠もねじ嵌合にすると、軸筒の先端と尾端の両方に深いねじ溝を形成する必要があるが、軸筒を回転させながら軸筒の先端も尾端も金型から徐々に引き出すようにして離型するには金型構造が極めて複雑になり、ほとんど不可能ある。
【０００５】
そこで本発明は、先端外周面にキャップ螺着用のねじ溝が形成された合成樹脂製の軸筒の尾端開口にねじ溝を形成することなく、尾冠を簡単、かつ確実に取り付けることが可能な取付構造を提供することを目的とする。
【課題を解決するための手段】
【０００６】
かかる目的を達成するために、本発明の尾冠取付構造は、先端外周面にキャップ螺着用のねじ溝が形成された合成樹脂製の軸筒の尾端開口内部に先端側の表面が傾斜した内向きの鍔部を形成し、この鍔部は１ないし複数個の切欠き部を形成し、尾冠の先端に軸筒の鍔部内に挿入される筒部を形成するとともに、この筒部の外周面に切欠き部を通過可能な突起部を形成し、尾冠の筒部を軸筒の鍔部に挿入し、軸筒と尾冠を相対的に回転させて突起部を鍔部先端側の傾斜した面に沿って移動させることにより尾冠の段部と突起部によって軸線方向の巾が大きな部分の鍔部を挟圧して尾冠を軸筒に固定する。
【発明の効果】
【０００７】
尾冠の筒部を軸筒の鍔部に挿入し、軸筒と尾冠を相対的に回転させて突起部を鍔部先端側の傾斜した面に沿って移動させることにより尾冠の段部と突起部によって軸線方向の巾が大きな部分の鍔部を挟圧して尾冠を軸筒に固定することができるので、軸筒の尾端開口にねじ溝を形成することなく、簡単、かつ確実に固定することができる。
【発明を実施するための最良の形態】
【０００８】
以下に図面に基づいて発明を実施するための最良の形態を説明する。図１は本発明を適用した万年筆を示すが、軸筒１の先端にはキャップ３が着脱自在にねじ嵌合され、軸筒１の後端には装飾用の金輪４を介して尾冠２が固定されている。軸筒１は合成樹脂で成形されたものであり、図２に示すように、先端外周面にキャップ３を螺着するためのねじ溝１１が形成されている。また、軸筒１の尾端開口１ａの内部には内向きの鍔部１２が形成されている。そして、鍔部１２には、切欠き部１３、つまり鍔部１２が形成されていない部分がある。図例では切欠き部１３の個数は対向する２個であるが、２個に限られるものではない。また、鍔部１２の先端側の表面１２ａは傾斜している。傾斜角度は例えば２°〜５°程度の小さな角度である。つまり、鍔部１２の軸線方向の巾は、図２（ｂ）に示すように、一方の切欠き部１３から他方の切欠き部１３に向けて小さな角度で徐々に大きくなっている。
【０００９】
尾冠２も合成樹脂で成形されており、図３に示すように、先端側に２つの段部２３、２４を介して筒部２１が形成されている。筒部２１の外径寸法は鍔部１２の内径寸法にほぼ等しくて鍔部１２内に挿入できるようになっている。また、筒部２１の外周面には切欠き部１３の数と大きさに対応する突起部２２が形成されており、筒部２１を鍔部１２内に挿入すると突起部２２は切欠き部１３を通過するようになっている。
【００１０】
しかして、図４に示すように、軸筒１の尾端開口１ａに金輪４を載せ、軸筒１の切欠き部１３と尾冠２の突起部２２の位相を合わせて筒部２１を鍔部１２に挿入する。このとき、尾冠２の段部２３から突起部２２の表面２２ａまでの長さは、鍔部１２の軸線方向の巾が最も小さい部分の表面１２ａから金輪４の尾端面までの長さよりもわずかに大きく、かつ巾が最も大きい部分の表面１２ａから金輪４の尾端面までの長さよりもわずかに小さくなっている。そして、軸筒１と尾冠２を相対的に回転させ、突起部２２の表面２２ａを鍔部１２の軸線方向の巾が小さい部分の表面１２ａから巾が大きい部分の表面１２ａに沿って移動させると、突起部２２の表面２２ａが鍔部１２の表面１２ａに圧接するので、鍔部１２は金輪４を介して尾冠２の段部２３と突起部２２により挟圧され、簡単に取り付けることができる。また、鍔部１２の傾斜角度が小さく、かつ軸筒１と尾冠２がともに合成樹脂で成形されているので、尾冠２を軸筒１に対して強くねじ込んで突起部２２の表面２２ａが鍔部１２の表面１２ａに圧接したときに合成樹脂が幾分変形して突起部２２の表面２２ａが鍔部１２の表面１２ａに食い込み、摩擦抵抗が大きくなって確実に尾冠２を軸筒１に固定することができる。
【図面の簡単な説明】
【００１１】
【図１】本発明実施例を適用した筆記具の正面図である。
【図２】（ａ）は軸筒の一部断面図、（ｂ）は鍔部の展開説明図、（ｃ）は（ａ）のＡ−Ａ線の断面図である。
【図３】（ａ）は尾冠の断面図、（ｂ）と（ｃ）は位相が９０°異なる平面図、（ｄ）は底面図である。
【図４】尾冠の取り付け状態の説明図である。
【符号の説明】
【００１２】
１    軸筒
１１    ねじ溝
１２    鍔部
１３    切欠き部
２    尾冠
２１    筒部
２２    突起部
２３    段部
３    キャップ
４    金輪
【図１】
2009279801.tif 000003
【図２】
2009279801.tif 000004
【図３】
2009279801.tif 000005
【図４】
2009279801.tif 000006